(57)【要約】  【課題】無線通信技術を用いたボタン電話システムにおいて、無線ボタン電話機のバッテリ消耗を低減することのできる技術を提供する。  【解決手段】無線ＬＡＮアクセスポイント４は、無線ＬＡＮボタン電話機３毎に、主装置１より受信したパケットから、当該無線ＬＡＮボタン電話機３の受信希望情報を格納したユニキャストパケットを生成する。そして、ビーコン信号を用いてこのパケットの宛先を通知する。無線ＬＡＮボタン電話機３は、定期的にスリープ状態からアウェイク状態に移行してビーコン信号を受信する。このビーコン信号で自無線ＬＡＮボタン電話機３がパケットの宛先として通知されている場合、アウェイク状態を維持し、無線ＬＡＮアクセスポイント４に対してポーリング処理を行ってユニキャストパケットを受信する。一方、パケットの宛先として通知されていない場合は、速やかにスリープ状態へ移行する。【選択図】図１
2008118433.tif 000002
【特許請求の範囲】
【請求項１】
少なくとも1つの無線ボタン電話機と、前記無線ボタン電話機と主装置との間のパケットを中継する無線アクセスポイントと、を有するボタン電話システムであって、
前記無線アクセスポイントは、
前記無線ボタン電話機毎に、省電力モード中に受信を希望する情報の種別である受信希望情報種別を記憶する受信希望情報種別記憶手段と、
前記無線ボタン電話機毎に、前記主装置より受信したパケットから、前記受信希望情報種別記憶手段に記憶されている当該無線ボタン電話機の受信希望情報種別の情報を抽出し、抽出した情報を含む当該無線ボタン電話機宛のユニキャストパケットを、受信希望情報パケットとして生成する受信希望情報パケット生成手段と、
前記受信希望情報パケット生成手段により生成された当該無線ボタン電話機宛の前記受信希望情報パケットを無線送信する受信希望情報パケット送信手段と、を有し、
前記無線ボタン電話機は、
前記無線アクセスポイントから前記受信希望情報パケットを受信する受信希望情報パケット受信手段を有し、
前記省電力モード中において、前記受信希望情報パケットを受信する以外、スリープ状態とする
ことを特徴とするボタン電話システム。
【請求項２】
請求項１に記載のボタン電話システムであって、
前記アクセスポイントは、
前記受信希望情報パケット生成手段により前記受信希望情報パケットが生成された前記無線ボタン電話機の識別情報を含む受信希望情報通知信号を生成し、生成した受信希望情報通知信号を所定の通知タイミングで無線送信する受信希望情報通知信号送信手段をさらに有し、
前記受信希望情報パケット送信手段は、
前記無線ボタン電話機から受信希望情報要求信号を受信した場合に、前記受信希望情報パケット生成手段により生成された当該無線ボタン電話機宛の前記受信希望情報パケットを無線送信し、
前記ボタン電話機は、
前記受信希望情報通知信号を受信する受信希望情報通知信号受信手段と、
前記所定の通知タイミングでアウェイク状態に移行して、前記受信希望情報通知信号受信手段に前記受信希望情報通知信号を受信させ、当該受信希望情報通知信号に自無線ボタン電話機の識別情報が含まれている場合は、前記受信希望情報パケット受信手段に前記受信希望情報要求信号を送信させ、前記受信希望情報パケット受信手段が前記受信希望情報パケットを受信するのを待ってスリープ状態に移行し、一方、当該受信希望情報通知信号に自無線ボタン電話機の識別情報が含まれていない場合は、前記受信希望情報パケット受信手段に前記受信希望情報要求信号を送信させることなくスリープ状態に移行する、省電力モード制御手段と、をさらに有し、
前記受信希望情報パケット受信手段は、
前記無線アクセスポイントに前記受信希望情報要求信号を送信して、前記無線アクセスポイントから自無線ボタン電話機宛の前記受信希望情報パケットを受信する
ことを特徴とするボタン電話システム。
【請求項３】
請求項２に記載のボタン電話システムであって、
前記無線アクセスポイントは、
前記受信希望情報種別を含む受信希望情報種別信号を受信する受信希望情報種別信号受信手段をさらに有し、
前記受信希望情報種別記憶手段は、
前記受信希望情報種別信号受信手段で受信した前記受信希望情報種別信号に含まれている前記受信希望情報種別を、当該受信希望情報種別信号の送信元に対応付けて記憶し、
前記無線ボタン電話機は、
前記省電力モード制御手段の動作開始に先立って、自無線ボタン電話機の受信希望情報種別を含む前記受信希望情報種別信号を前記無線アクセスポイントに送信する受信希望情報種別信号送信手段をさらに有する
ことを特徴とするボタン電話システム。
【請求項４】
請求項３に記載のボタン電話システムであって、
前記無線アクセスポイントは、
前記主装置より受信した最新のパケットに格納されている情報を記憶する最新情報記憶手段と、
前記無線ボタン電話機から最新情報要求信号を受信した場合に、前記最新情報記憶手段に記憶されている情報を含む当該無線ボタン電話機宛のユニキャストパケットを、最新情報パケットとして生成する最新情報パケット生成手段と、
前記最新情報パケット生成手段により生成した前記最新情報パケットを無線送信する最新情報パケット送信手段と、をさらに有し、
前記無線ボタン電話機は、
前記省電力モード制御手段の動作を停止してアウェイク状態に移行した場合に、前記無線アクセスポイントに前記最新情報要求信号を送信して、前記無線アクセスポイントから自無線ボタン電話機宛の前記最新情報パケットを受信する最新情報パケット受信手段をさらに有する
ことを特徴とするボタン電話システム。
【請求項５】
請求項１乃至４のいずれか一項に記載の無線アクセスポイント。
【請求項６】
請求項１乃至４のいずれか一項に記載の無線ボタン電話機。
【発明の詳細な説明】
【技術分野】
【０００１】
本発明は、ボタン電話システムの無線通信技術に関する。
【背景技術】
【０００２】
無線通信技術を用いた無線ボタン電話システムにおいて、主装置および無線ボタン電話機間を中継する無線アクセスポイントは、主装置からユニキャストパケットを受信した場合、次に発信するビーコン信号に、このユニキャストパケットの宛先（無線ボタン電話機）の識別情報を含める。また、無線アクセスポイントは、主装置からマルチキャストパケットを受信すると、次に発信するビーコン信号にその旨を示す情報を含め、このビーコン信号の送信後に、受信したマルチキャストパケットを無線送信する。なお、ビーコン信号は、無線アクセスポイントから定期的に無線送信される。
【０００３】
一方、無線ボタン電話システムにおいて、無線ボタン電話機は、通常、待ち受け時に省電力モードを使用する。省電力モードにおいて、無線ボタン電話機は、定期的にスリープ状態からアウェイク状態に移行して、無線アクセスポイントのビーコン信号を受信する。受信したビーコン信号に、自無線ボタン電話機の識別情報が含まれている場合は、アウェイク状態を維持し、無線アクセスポイントに対してポーリング処理を行って、自無線ボタン電話機宛のユニキャストパケットを受信する。また、受信したビーコン信号に、マルチキャストパケットを示す情報が含まれている場合は、アウェイク状態を維持し、無線アクセスポイントからマルチキャストパケットが送られてくるのを待つ。そして、受信したビーコン信号にこれらの情報が含まれていない場合は、速やかにアウェイク状態からスリープ状態に移行する。
【０００４】
また、特許文献１には、無駄な無線送信を低減できる無線ＬＡＮシステムが開示されている。この無線ＬＡＮシステムにおいて、無線アクセスポイント（親局装置）は、配下の無線ボタン電話機（子局装置）を管理する。そして、無線アクセスポイントは、主装置（ホスト）から受信したマルチキャストパケットが、配下の無線ボタン電話機が属するグループ以外のグループに宛てたパケットである場合、このパケットを無線送信することなく廃棄する。このようにすることにより、無駄な無線送信を低減する。
【０００５】
【特許文献１】特開２０００−３２４１２０号公報
【発明の開示】
【発明が解決しようとする課題】
【０００６】
しかし、特許文献１に記載の技術では、無線アクセスポイントは、主装置から受信したマルチキャストパケットの宛先グループに配下の無線ボタン電話機のうちの少なくとも１つが所属している場合、残りの無線ボタン電話機がこの宛先グループに属していなくても、このマルチキャストパケットを無線送信する。このため、これら残りの無線ボタン電話機は、自無線ボタン電話機を対象としていないマルチキャストパケットを受信するためにアウェイク状態を維持してしまい、バッテリを無駄に消耗してしまう。
【０００７】
また、無線アクセスポイントは、主装置から受信したマルチキャストパケットの宛先グループに配下の無線ボタン電話機が所属、あるいは主装置から受信したユニキャストパケットの宛先が配下の無線ボタン電話機である場合、この受信したパケットを無線送信する。そして、省電力モード中の配下の無線ボタン電話機は、無線アクセスポイントから無線送信された、自無線ボタン電話機を対象とするマルチキャストパケット、あるいは自無線ボタン電話機宛のユニキャストパケットに、スリープ状態を解除してまで必要な情報が格納されていない場合でも、このパケットを受信するためにアウェイク状態を維持する。このため、バッテリを無駄に消耗してしまう。
【０００８】
本発明は上記事情に鑑みてなされたものであり、本発明の目的は、無線通信技術を用いたボタン電話システムにおいて、無線ボタン電話機のバッテリ消耗を低減することのできる技術を提供することにある。
【課題を解決するための手段】
【０００９】
上記課題を解決するために、本発明では、無線アクセスポイントが、無線ボタン電話機毎に、主装置より受信したパケットから、当該無線ボタン電話機が省電力モード中に受信を希望する情報以外の情報を省略した、当該無線ボタン電話機宛のユニキャストパケットを生成する。そして、次に発信する受信希望情報通知信号に、生成したユニキャストパケットの宛先（無線ボタン電話機）の識別情報を含める。なお、受信希望情報通知信号は、無線アクセスポイントから定期的に無線送信される。
【００１０】
一方、無線ボタン電話機は、定期的にスリープ状態からアウェイク状態に移行して、無線アクセスポイントの受信希望情報通知信号を受信する。受信希望情報通知信号に自無線ボタン電話機の識別情報が含まれている場合は、アウェイク状態を維持し、無線アクセスポイントに対してポーリング処理を行って、自無線ボタン電話機宛のユニキャストパケットを受信する。一方、受信希望情報通知信号に、自無線ボタン電話機の識別情報が含まれていない場合は、速やかにアウェイク状態からスリープ状態へ移行する。
【００１１】
例えば、本発明は、少なくとも1つの無線ボタン電話機と、前記無線ボタン電話機と主装置との間のパケットを中継する無線アクセスポイントと、を有するボタン電話システムであって、
前記無線アクセスポイントは、
前記無線ボタン電話機毎に、省電力モード中に受信を希望する情報の種別である受信希望情報種別を記憶する受信希望情報種別記憶手段と、
前記無線ボタン電話機毎に、前記主装置より受信したパケットから、前記受信希望情報種別記憶手段に記憶されている当該無線ボタン電話機の受信希望情報種別の情報を抽出し、抽出した情報を含む当該無線ボタン電話機宛のユニキャストパケットを、受信希望情報パケットとして生成する受信希望情報パケット生成手段と、
前記受信希望情報パケット生成手段により生成された当該無線ボタン電話機宛の前記受信希望情報パケットを無線送信する受信希望情報パケット送信手段と、を有し、
前記無線ボタン電話機は、
前記無線アクセスポイントから前記受信希望情報パケットを受信する受信希望情報パケット受信手段を有し、
前記省電力モード中において、前記受信希望情報パケットを受信する以外、スリープ状態とする。
【発明の効果】
【００１２】
本発明によれば、無線ボタン電話機のアウェイク状態の無駄な持続を低減することができ、これにより、無線ボタン電話機のバッテリ消耗を低減できる。
【発明を実施するための最良の形態】
【００１３】
以下、本発明の実施の形態について説明する。
【００１４】
図１は、本発明の一実施の形態が適用されたＩＰ（Internet Protocol）ボタン電話システムの概略構成図である。
【００１５】
図示するように、本実施の形態のＩＰボタン電話システムは、主装置（あるいはサーバ）１と、有線ＬＡＮ（Local Area Network）５を介して主装置１に収容された複数の有線ＬＡＮボタン電話機２および無線ＬＡＮボタン電話機３と、主装置１および自管轄エリア（無線ＬＡＮ６）に所属する無線ＬＡＮボタン電話機３間を中継する無線ＬＡＮアクセスポイント４と、主装置１、有線ＬＡＮボタン電話機２、および無線ＬＡＮアクセスポイント４間を相互接続する有線ＬＡＮ５と、を有する。なお、無線ＬＡＮアクセスポイント４は、自管轄エリア内の各無線ＬＡＮボタン電話機３の識別情報（ボタン電話機ＩＤと呼ぶ）およびそれが属するグループの識別情報を、自無線ＬＡＮアクセスポイント４が保持する局データにより管理している。
【００１６】
主装置１は、代表着信、グループ着信、個別着信等の着信情報、ＬＣＤ表示、ＬＥＤ表示等の表示情報、およびダイヤルトーン、保留音等の音情報といった、有線ＬＡＮボタン電話機２および無線ＬＡＮボタン電話機３で利用される制御情報（これらの情報をボタン電話情報と呼ぶ）を、マルチキャストパケット、あるいはユニキャストパケットで、有線ＬＡＮ５上に送出する。
【００１７】
有線ＬＡＮボタン電話機２は、有線ＬＡＮ５上を伝送するマルチキャストパケット、および自電話機宛てのユニキャストパケットを受信し、処理する。
【００１８】
無線ＬＡＮボタン電話機３は、無線ＬＡＮアクセスポイント４から無線送信されたマルチキャストパケット、および自電話機宛てのユニキャストパケットを受信し、処理する。ここで、無線ＬＡＮボタン電話機３は、通常モードおよび省電力モードのいずれかで動作する。通常モードにおいて、無線ＬＡＮ電話機３は、常にアウェイク状態となって、無線ＬＡＮアクセスポイント４から無線送信されたマルチキャストパケットおよび自電話機宛てのユニキャストパケットを受信する。一方、省電力モードには、マルチキャスト受信モードおよび希望情報受信モードがある。これらについては後述する。
【００１９】
無線ＬＡＮアクセスポイント４は、主装置１からユニキャストパケットを受信した場合、次に発信するビーコン信号に、このユニキャストパケットの宛先（無線ＬＡＮボタン電話機３）ボタン電話機ＩＤを含める。また、無線ＬＡＮアクセスポイント４は、主装置１からマルチキャストパケットを受信すると、次に発信するビーコン信号にその旨を示す情報を含め、このビーコン信号の送信後に、受信したマルチキャストパケットを無線送信する。なお、ビーコン信号は、無線ＬＡＮアクセスポイント４から定期的に無線送信される。
【００２０】
また、無線ＬＡＮアクセスポイント４は、希望情報受信モード中の無線ＬＡＮボタン電話機３に対して、この無線ＬＡＮボタン電話機３が希望情報受信モード中に受信を希望する情報（無線ＬＡＮボタン電話機３が希望情報受信モード中に受信を希望する情報を受信希望情報と呼ぶ。例えば、無線ＬＡＮボタン電話機に対する個別着信情報）を通知する処理、および希望情報受信モードから通常モードに移行した無線ＬＡＮボタン電話機３に対して最新のボタン電話情報を通知する処理を行う。
【００２１】
図２は、主装置１、無線ＬＡＮアクセスポイント４、および省電力モード中の無線ＬＡＮボタン電話機３間のパケット送受タイミングを模式的に表した図である。ここでは、２台の無線ＬＡＮボタン電話機３（無線ＬＡＮボタン電話機ａ、無線ＬＡＮボタン電話機ｂ）との間のパケット送受信を例に挙げる。無線ＬＡＮボタン電話機ａはマルチキャスト受信モードで動作し、無線ＬＡＮボタン電話機ｂは希望情報受信モードで動作している。
【００２２】
図２に示すように、無線ＬＡＮアクセスポイント４は、定期的にビーコン信号「Ｂ」７２ｎ（ｎ＝自然数）を無線送信する。
【００２３】
さて、無線ＬＡＮアクセスポイント４は、有線ＬＡＮ５を介して、主装置１から送信されたマルチキャストパケット「ＭＣ」７０ｍ（ｍ＝自然数）を受信すると、次に送信するビーコン信号７２ｎを用いて、配下の無線ＬＡＮボタン電話機３にマルチキャストパケット「ＭＣ」７０ｍの送信を通知する。そして、ビーコン信号７２ｎの送信後、所定のタイミングでマルチキャストパケット「ＭＣ」７０ｍを無線送信する。また、無線ＬＡＮアクセスポイント４は、受信したマルチキャストパケット「ＭＣ」７０ｍを解析し、このマルチキャストパケット「ＭＣ」７０ｍに、無線ＬＡＮボタン電話機ｂの受信希望情報が含まれているか否かを調べる。そして、受信希望情報が含まれているならば、この受信希望情報を格納した無線ＬＡＮボタン電話機ｂ宛てのユニキャストパケット「ＵＣ」７１ｋ（ｋ＝自然数）を生成し保持すると共に、以降に送信するいずれかのビーコン信号７２ｎを用いて、配下の無線ＬＡＮボタン電話機３に無線ＬＡＮボタン電話機ｂ宛てのユニキャストパケット「ＵＣ」７１ｋの存在を通知する。
【００２４】
一方、マルチキャスト受信モードで動作中の無線ＬＡＮボタン電話機ａは、無線ＬＡＮアクセスポイント４から定期的に送信されるビーコン信号「Ｂ」７２ｎの送信タイミングで、スリープ状態からアウェイク状態に移行し、ビーコン信号「Ｂ」７２ｎを受信する。そして、受信したビーコン信号「Ｂ」７２ｎを解析し、マルチキャストパケット「ＭＣ」７０ｍの存在の有無および自電話機宛てのユニキャストパケット「ＵＣ」７１ｋの有無を確認する。マルチキャストパケット「ＭＣ」７０ｍが存在する場合、無線ＬＡＮボタン電話機ａは、アウェイク状態を維持し、無線ＬＡＮアクセスポイント４からマルチキャストパケット「ＭＣ」７０ｍが送られてくるのを待って、スリープ状態に移行する。自電話機宛てのユニキャストパケット「ＵＣ」７１ｋが存在する場合、無線ＬＡＮボタン電話機ａは、希望情報受信モードで動作中の無線ＬＡＮボタン電話機ｂと同様、アウェイク状態を維持し、ポーリングにより無線ＬＡＮアクセスポイント４から自電話機宛てのユニキャストパケット「ＵＣ」７１ｋを取得する。それからスリープ状態に移行する。マルチキャストパケット「ＭＣ」７０ｍおよび自電話機宛てのユニキャストパケット「ＵＣ」７１ｋのいずれも存在しなければ、直ちにアウェイク状態からスリープ状態に移行する。
【００２５】
また、希望情報受信モードで動作中の無線ＬＡＮボタン電話機ｂは、無線ＬＡＮアクセスポイント４から定期的に送信されるビーコン信号「Ｂ」７２ｎの送信タイミングで、スリープ状態からアウェイク状態に移行し、ビーコン信号「Ｂ」７２ｎを受信する。そして、受信したビーコン信号「Ｂ」７２ｎを解析し、自電話機宛てのユニキャストパケット「ＵＣ」７１ｋの有無を確認する。自電話機宛てのユニキャストパケット「ＵＣ」７１ｋが存在する場合、アウェイク状態を維持し、ポーリング７３により無線ＬＡＮアクセスポイント４から自電話機宛てのユニキャストパケット「ＵＣ」７１ｋを取得する。それからスリープ状態に移行する。自電話機宛てのユニキャストパケット「ＵＣ」７１ｋが存在しない場合は、直ちにアウェイク状態からスリープ状態に移行する。
【００２６】
なお、図２において、無線ＬＡＮアクセスポイント４は、マルチキャストパケット「ＭＣ」７０ｍの代わりにユニキャストパケットを主装置１から受信した場合、次のように動作する。
【００２７】
すなわち、無線ＬＡＮアクセスポイント４は、受信したユニキャストパケットの宛先が通常モードあるいは省電力モードのマルチキャスト受信モードであるか、それとも省電力モードの希望情報受信モードであるかを調べる。受信したユニキャストパケットの宛先が省電力モードのマルチキャスト受信モードである場合、このユニキャストパケットを保持すると共に、以降に送信するいずれかのビーコン信号「Ｂ」７２ｎを用いて、配下の無線ＬＡＮボタン電話機３にこのユニキャストパケットの存在を通知する。受信したユニキャストパケットの宛先が通常モードの場合は、そのまま通常の送信タイミングで無線送信する。
【００２８】
一方、受信したユニキャストパケットの宛先が省電力モードの希望情報受信モードである場合、このユニキャストパケットから、このユニキャストパケットの受信希望情報以外の情報を省略する。そして、この受信希望情報以外の情報が省略されたユニキャストパケットを保持すると共に、以降に送信するいずれかのビーコン信号「Ｂ」７２ｎを用いて、配下の無線ＬＡＮボタン電話機３に、このユニキャストパケットの存在を通知する。
【００２９】
図３は、主装置１、無線ＬＡＮアクセスポイント４、および省電力モードから通常モードに復帰した無線ＬＡＮボタン電話機３間のパケット送受タイミングを模式的に表した図である。ここで、無線ＬＡＮボタン電話機ｂは、省電力モード中、希望情報受信モードで動作している。
【００３０】
図３に示すように、無線ＬＡＮアクセスポイント４は、定期的にビーコン信号「Ｂ」７２ｎ（ｎ＝自然数）を無線送信する。
【００３１】
さて、無線ＬＡＮアクセスポイント４は、有線ＬＡＮ５を介して、主装置１から送信されたマルチキャストパケット７０ｍ（ｍ＝自然数）を受信すると、次に送信するビーコン信号「Ｂ」７２ｎを用いて、配下の無線ＬＡＮボタン電話機３にマルチキャストパケット「ＭＣ」７０ｍの送信を通知する。そして、ビーコン信号「Ｂ」７２ｎの送信後、所定のタイミングでマルチキャストパケット「ＭＣ」７０ｍを無線送信する。また、無線ＬＡＮアクセスポイント４は、主装置１から受信した最新のマルチキャストパケット「ＭＣ」７０ｍを保持する。そして、配下の無線ＬＡＮボタン電話機ｂから最新情報取得要求７４を受信すると、最新のマルチキャストパケット「ＭＣ」７０ｍの情報を格納した、無線ＬＡＮボタン電話機ｂ宛てのユニキャストパケット「ＵＣ」７５ｋを生成し無線送信する。
【００３２】
一方、希望情報受信モードから通常モードに復帰した無線ＬＡＮボタン電話機ｂは、無線ＬＡＮアクセスポイント４に最新情報取得要求７４を送信して、無線ＬＡＮアクセスポイント４から、無線ＬＡＮボタン電話機ｂ宛てのユニキャストパケット「ＵＣ」７５ｋを受信する。以降、無線ＬＡＮボタン電話機ｂは、無線ＬＡＮアクセスポイント４から無線送信された新たなマルチキャストパケット７０ｍを受信する。
【００３３】
なお、図３において、無線ＬＡＮアクセスポイント４は、マルチキャストパケット「ＭＣ」７０ｍの代わりにユニキャストパケットを主装置１から受信した場合、次のように動作する。
【００３４】
すなわち、無線ＬＡＮアクセスポイント４は、受信したユニキャストパケットの宛先が通常モードあるいは省電力モードのマルチキャスト受信モードであるか、それとも省電力モードの希望情報受信モードであるかを調べる。受信したユニキャストパケットの宛先が省電力モードのマルチキャスト受信モードである場合、このユニキャストパケットを保持すると共に、以降に送信するいずれかのビーコン信号「Ｂ」７２ｎを用いて、配下の無線ＬＡＮボタン電話機３に、このユニキャストパケットの存在を通知する。受信したユニキャストパケットの宛先が通常モードの場合は、そのまま通常の送信タイミングで無線送信する。
【００３５】
一方、受信したユニキャストパケットの宛先が省電力モードの希望情報受信モードである場合、このユニキャストパケットから、宛先の受信希望情報以外の情報を省略する。そして、この受信希望情報以外の情報が省略されたユニキャストパケットを保持すると共に、以降に送信するいずれかのビーコン信号「Ｂ」７２ｎを用いて、配下の無線ＬＡＮボタン電話機３に、このユニキャストパケットの存在を通知する。
【００３６】
次に、無線ＬＡＮアクセスポイント４および無線ＬＡＮボタン電話機３について、より詳細に説明する。先ず、無線ＬＡＮアクセスポイント４を説明する。
【００３７】
図４は、無線ＬＡＮアクセスポイント４の概略機能ブロック図である。
【００３８】
図示するように、無線ＬＡＮアクセスポイント４は、有線ＬＡＮパケット送受信部４０１と、無線ＬＡＮパケット送受信部４０２と、ビーコン送信部４０３と、ブリッジ部４０４と、有線ＬＡＮパケット解析部４０５と、受信希望種別記憶部４０６と、受信希望情報抽出部４０７と、受信希望情報パケット生成部４０８と、受信希望情報パケット記憶部４０９と、最新情報記憶部４１０と、無線ＬＡＮパケット解析部４１１と、最新情報パケット生成部４１２と、を有する。
【００３９】
有線ＬＡＮパケット送受信部４０１は、有線ＬＡＮ５のインターフェース制御機能を有し、有線ＬＡＮ５を介して、主装置１および有線ＬＡＮボタン電話機２とパケットを送受信する。
【００４０】
無線ＬＡＮパケット送受信部４０２は、無線ＬＡＮ６のインターフェース制御機能を有し、無線ＬＡＮ６を介して、配下の無線ＬＡＮボタン電話機３とパケットを送受信する。
【００４１】
ビーコン送信部４０３は、配下の無線ＬＡＮボタン電話機３に、無線ＬＡＮアクセスポイント４の管轄エリア（無線ＬＡＮ６）を通知するためのビーコン信号を定期的に送信する。
【００４２】
ブリッジ部４０４は、有線ＬＡＮパケット送受信部４０１および無線ＬＡＮパケット送受信部４０２間でパケットをブリッジ（中継）する。
【００４３】
有線ＬＡＮパケット解析部４０５は、有線ＬＡＮパケット送受信部４０１が受信したパケットのヘッダ等を解析し、このパケットがマルチキャストであるか否かを調べる。
【００４４】
受信希望種別記憶部４０６は、希望情報受信モードで動作中の配下の無線ＬＡＮボタン電話機３毎に、無線ＬＡＮボタン電話機３が希望情報受信モード中に受信を希望するボタン電話情報の種別を記憶する。
【００４５】
図５は、受信希望種別記憶部４０６の登録内容を模式的に表した図である。
【００４６】
図示するように、受信希望種別記憶部４０６は、希望情報受信モードで動作中の無線ＬＡＮボタン電話機３毎にレコード４０６０を記憶する。レコード４０６０は、無線ＬＡＮボタン電話機３のボタン電話機ＩＤ（例えばアドレス）を登録するフィールド４０６１と、受信希望情報とするボタン電話情報の種別を登録するフィールド４０６２と、ボタン電話情報以外の情報を受信希望情報とするか否かを登録するフィールド４０６３と、を有する。フィールド４０６２は、ＬＣＤ表示、ＬＥＤ表示といった、ボタン電話情報の種別毎に、該当する種別のボタン電話情報を受信希望情報とするか否かを登録するサブフィールド４０６２１を有する。
【００４７】
受信希望情報抽出部４０７は、受信希望種別記憶部４０６を参照し、希望情報受信モードで動作中の無線ＬＡＮボタン電話機３毎に、有線ＬＡＮパケット送受信部４０１が受信したパケットから受信希望情報を抽出する。
【００４８】
図６は、ボタン電話情報をマルチキャストパケットで受信した場合における受信希望情報抽出部４０７の動作を模式的に表した図である。
【００４９】
図６では、ボタン電話機ＩＤ「Ｔ２」の無線ＬＡＮボタン電話機３宛ての個別着信情報と、グループ「Ｇ１」に対するグループ着信情報と、ボタン電話機ＩＤ「Ｔ１」,「Ｔ２」,「Ｔ３」の無線ＬＡＮボタン電話機３を含む各無線ＬＡＮボタン電話機３に対するＬＥＤ表示情報と、ボタン電話機ＩＤ「Ｔ１」,「Ｔ２」,「Ｔ３」の無線ＬＡＮボタン電話機３を含む各無線ＬＡＮボタン電話機３に対するＬＣＤ表示情報と、を含むマルチキャストパケット４０７０を受信した場合を例にとり説明している。ここでは、グループ「Ｇ１」にボタン電話機ＩＤ「Ｔ３」の無線ＬＡＮボタン電話機３が属しているが、ボタン電話機ＩＤ「Ｔ１」,「Ｔ２」各々の無線ＬＡＮボタン電話機３は属さないこととし、局データに、その旨が登録されている。
【００５０】
この場合、図５に示す受信希望種別記憶部４０６の登録内容によれば、図６に示すように、ボタン電話機ＩＤ「Ｔ１」の無線ＬＡＮボタン電話機３に対する抽出情報４０７１として、ボタン電話機ＩＤ「Ｔ１」の無線ＬＡＮボタン電話機３に対するＬＥＤ表示情報、およびボタン電話機ＩＤ「Ｔ１」の無線ＬＡＮボタン電話機３に対するＬＣＤ表示情報が抽出される。また、ボタン電話機ＩＤ「Ｔ２」の無線ＬＡＮボタン電話機３に対する抽出情報４０７２として、ボタン電話機ＩＤ「Ｔ２」の無線ＬＡＮボタン電話機３に対する個別着信情報が抽出される。そして、ボタン電話機ＩＤ「Ｔ３」の無線ＬＡＮボタン電話機３に対する抽出情報４０７３として、ボタン電話機ＩＤ「Ｔ３」の無線ＬＡＮボタン電話機３が所属するグループ「Ｇ１」に対するグループ着信情報が抽出される。
【００５１】
図７は、ボタン電話情報をユニキャストパケットで受信した場合における受信希望情報抽出部４０７の動作を模式的に表した図である。
【００５２】
図７では、ボタン電話機ＩＤ「Ｔ２」の無線ＬＡＮボタン電話機３宛ての個別着信情報と、グループ「Ｇ２」に対するグループ着信情報と、ボタン電話機ＩＤ「Ｔ２」の無線ＬＡＮボタン電話機３に対するＬＥＤ表示情報と、ボタン電話機ＩＤ「Ｔ２」の無線ＬＡＮボタン電話機３に対するＬＣＤ表示情報と、を含むユニキャストパケット４０７５を受信した場合を例にとり説明している。ここで、グループ「Ｇ２」には、ボタン電話機ＩＤ「Ｔ２」の無線ＬＡＮボタン電話機３が属しているが、ボタン電話機ＩＤ「Ｔ１」,「Ｔ３」各々の無線ＬＡＮボタン電話機３は属さないこととし、局データに、その旨が登録されている。
【００５３】
この場合、図５に示す受信希望種別記憶部４０６の登録内容によれば、図７に示すように、ボタン電話機ＩＤ「Ｔ２」の無線ＬＡＮボタン電話機３に対する抽出情報４０７６として、ボタン電話機ＩＤ「Ｔ２」の無線ＬＡＮボタン電話機３に対する個別着信情報が抽出される。
【００５４】
受信希望情報パケット生成部４０８は、希望情報受信モードで動作中の無線ＬＡＮボタン電話機３毎に、受信希望情報抽出部４０７で抽出された当該無線ＬＡＮボタン電話機３の受信希望情報を格納したユニキャストパケット（受信希望情報パケットと呼ぶ）を生成する。
【００５５】
受信希望情報パケット記憶部４０９は、受信希望情報パケット生成部４０８で生成された受信希望情報パケット、および有線ＬＡＮパケット解析部４０５から渡されたユニキャストパケットを一時記憶する。
【００５６】
最新情報記憶部４１０は、ボタン電話情報の種別毎に、各無線ＬＡＮボタン電話機３の最新情報を記憶する。
【００５７】
図８は、最新情報記憶部４１０の登録内容を模式的に表した図である。
【００５８】
図示するように、最新情報記憶部４１０は、配下の無線ＬＡＮボタン電話機３毎にレコード４１００を記憶する。レコード４１００は、無線ＬＡＮボタン電話機３のボタン電話機ＩＤ（例えばアドレス）を登録するフィールド４１０１と、この無線ＬＡＮボタン電話機３に対する最新情報をボタン電話情報の種別毎に登録するための複数のフィールドと、を有する。この複数のフィールドとして、図８に示す例では、最新のＬＣＤ表示情報を登録するフィールド４１０２と、最新のＬＥＤ表示情報を登録するフィールド４１０３と、を設けている。
【００５９】
無線ＬＡＮパケット解析部４１１は、無線ＬＡＮパケット送受信部４０２が受信したパケットのヘッダ等を解析し、このパケットがポーリング要求パケット、最新情報取得要求パケット、および受信希望情報通知パケットであるか否かを調べる。
【００６０】
最新情報パケット生成部４１２は、配下の無線ＬＡＮボタン電話機３から最新情報取得要求パケットを受信した場合に、最新情報記憶部４１０を参照し、この無線ＬＡＮボタン電話機３に対する最新のボタン電話情報（ＬＣＤ表示情報、ＬＥＤ表示情報等）を格納した、この無線ＬＡＮボタン電話機３を宛先とするユニキャストパケット（最新情報パケットと呼ぶ）を生成する。
【００６１】
図９は、無線ＬＡＮアクセスポイント４の動作フローを説明するための図である。
【００６２】
有線ＬＡＮパケット送受信部４０１は、有線ＬＡＮ５からパケットを受信すると（Ｓ１０でＹＥＳ）、このパケットの解析を有線ＬＡＮパケット解析部４０５に指示する。これを受けて、有線ＬＡＮパケット解析部４０５は、有線ＬＡＮパケット送受信部４０１が受信したパケットのヘッダ等を解析し、このパケットがマルチキャストパケットであるか、それともユニキャストパケットであるかを調べる（Ｓ１１）。このパケットがマルチキャストパケットの場合は、後述するマルチキャストパケット受信処理を実施し（Ｓ１２）、ユニキャストパケットの場合は、後述するユニキャストパケット受信処理を実施する（Ｓ１３）。
【００６３】
一方、無線ＬＡＮパケット送受信部４０２は、無線ＬＡＮ６からパケットを受信すると（Ｓ１４でＹＥＳ）、このパケットの解析を無線ＬＡＮパケット解析部４１１に指示する。これを受けて、無線ＬＡＮパケット解析部４１１は、無線ＬＡＮパケット送受信部４０２が受信したパケットのヘッダ等を解析し、このパケットがポーリング要求パケットであるか、最新情報取得要求パケットであるか、それとも受信希望情報通知パケットであるかを調べる（Ｓ１５）。このパケットがポーリング要求パケットの場合は、後述するポーリング処理を実施し（Ｓ１６）、最新情報取得要求パケットの場合は、後述する最新情報通知処理を実施し（Ｓ１７）、受信希望情報通知パケットの場合は、後述する受信希望登録処理を行う（Ｓ１８）。
【００６４】
また、Ｓ１５において、無線ＬＡＮパケット送受信部４０２が受信したパケットが、ポーリング要求パケット、最新情報取得要求パケット、および受信希望情報通知パケットのいずれでもない場合、無線ＬＡＮパケット解析部４１１は、このパケットのブリッジ（中継）処理を無線ＬＡＮパケット送受信部４０２に指示する。これを受けて、無線ＬＡＮパケット送受信部４０２は、無線ＬＡＮ６から受信したパケットを、ブリッジ部４０４を介して有線ＬＡＮパケット送受信部４０１に渡す。また、自無線ＬＡＮアクセスポイントに帰属している他の無線端末宛のパケットである場合は、無線送信を行う。有線ＬＡＮパケット送受信部４０１は、ブリッジ部４０４から受け取ったパケットを、有線ＬＡＮ５に送信する（Ｓ１９）。
【００６５】
図１０は、図９のＳ１２（マルチキャストパケット受信処理）を説明するためのフロー図である。
【００６６】
先ず、有線ＬＡＮパケット解析部４０５は、有線ＬＡＮパケット送受信部４０１から受信したマルチキャストパケットを最新情報記憶部４１０に渡す。これを受けて、最新情報記憶部４１０は、マルチキャストパケットに格納されている配下の無線ＬＡＮボタン電話機各々のボタン電話情報（図６参照）を用いて、配下の無線ＬＡＮボタン電話機３各々の最新情報（図８参照）を登録もしくは更新する（Ｓ１２０１）。
【００６７】
次に、有線ＬＡＮパケット解析部４０５は、ビーコン送信部４０３にマルチキャストパケットの送信通知を指示する。これを受けて、ビーコン送信部４０３は、次のビーコン送信タイミングにおいて、マルチキャストパケット送信通知用のビーコン信号を送信する（Ｓ１２０２）。
【００６８】
また、有線ＬＡＮパケット解析部４０５は、有線ＬＡＮパケット送受信部４０１にマルチキャストパケットの中継（ブリッジ）を指示する。これを受けて、有線ＬＡＮパケット送受信部４０１は、有線ＬＡＮ５から受信したマルチキャストパケットを、ブリッジ部４０４を介して、無線ＬＡＮパケット送受信部４０２に渡す。無線ＬＡＮパケット送受信部４０２は、ビーコン送信部４０３によるビーコン信号送信後、所定のタイミングでブリッジ部４０４から受け取ったマルチキャストパケットを無線送信する（Ｓ１２０３）。
【００６９】
次に、有線ＬＡＮパケット解析部４０５は、受信希望情報抽出部４０７に、有線ＬＡＮパケット送受信部４０１から受信したマルチキャストパケットを渡して、受信希望情報の抽出を指示する。これを受けて、受信希望情報抽出部４０７は、受信希望種別記憶部４０６から未選択のレコード４０６０、つまり未選択の希望情報受信モードの無線ＬＡＮボタン電話機３を１つ選択する（Ｓ１２０４）。それから、受信希望情報抽出部４０７は、選択したレコード４０６０を参照し、このレコード４０６０により特定される無線ＬＡＮボタン電話機３の受信希望情報がマルチキャストパケットに含まれているか否かを判定する（Ｓ１２０４Ａ）。受信希望情報が含まれている場合（Ｓ１２０４ＡでＹＥＳ）、この受信希望情報をマルチキャストパケットから抽出する（Ｓ１２０５）。そして、受信希望情報パケット生成部４０８は、抽出された受信希望情報を格納したユニキャストパケットを生成し、生成したユニキャストパケットを、この無線ＬＡＮボタン電話機３宛ての受信希望情報パケットとして、受信希望情報パケット記憶部４０９に記憶する（Ｓ１２０６）。Ｓ１２０４Ａにおいて、受信希望情報が含まれていない場合は（Ｓ１２０４ＡでＮＯ）、Ｓ１２０７に進む。なお、Ｓ１２０４Ａにおいて、受信希望情報が含まれているか否かの判定は、その情報が更新されたか否かとしてもよい。
【００７０】
次に、受信希望情報抽出部４０７は、受信希望種別記憶部４０６に登録されている全てのレコード４０６０、つまり配下にある全ての希望情報受信モードの無線ＬＡＮボタン電話機３を、選択したか否かを調べる（Ｓ１２０７）。全てを選択していない場合（Ｓ１２０７でＮＯ）は、Ｓ１２０４に戻る。一方、全てを選択した場合は、Ｓ１２０８に進む。
【００７１】
Ｓ１２０８において、ビーコン送信部４０３は、次のビーコン送信タイミングにおいて、受信希望情報パケット記憶部４０９に受信希望情報パケットが登録されている無線ＬＡＮボタン電話機３のボタン電話機ＩＤを含めたビーコン信号を送信し、このフローを終了する。
【００７２】
図１１は、図９のＳ１３（ユニキャストパケット受信処理）を説明するためのフロー図である。
【００７３】
先ず、有線ＬＡＮパケット解析部４０５は、有線ＬＡＮパケット送受信部４０１から受信したユニキャストパケットを最新情報記憶部４１０に渡す。これを受けて、最新情報記憶部４１０は、ユニキャストパケットに格納されている配下の無線ＬＡＮボタン電話機のボタン電話情報（図７参照）を用いて、この無線ＬＡＮボタン電話機３の最新情報（図８参照）を登録もしくは更新する（Ｓ１３０１）。
【００７４】
次に、有線ＬＡＮパケット解析部４０５は、ユニキャストパケットの宛先の無線ＬＡＮボタン電話機３が希望情報受信モードで動作しているか否かを判断する（Ｓ１３０２）。これは、ユニキャストパケットの宛先の識別情報（ボタン電話機ＩＤ）が受信希望種別記憶部４０６に登録されているか否かを調べることで判断できる。希望情報受信モードで動作していない場合（Ｓ１３０２でＮＯ）、Ｓ１３０５に進む。一方、希望情報動作モードで動作している場合（Ｓ１３０２でＹＥＳ）、このユニキャストパケットを受信希望情報パケット記憶部４０９に記憶して、Ｓ１３０３に進む。
【００７５】
Ｓ１３０３において、有線ＬＡＮパケット解析部４０５は、受信希望情報抽出部４０７に、有線ＬＡＮパケット送受信部４０１から受信したユニキャストパケットを渡して、受信希望情報の抽出を指示する。これを受けて、受信希望情報抽出部４０７は、受信希望種別記憶部４０６から、ユニキャストパケットの宛先の識別情報（ボタン電話機ＩＤ）がフィールド４０６１に登録されているレコード４０６０を選択する。それから、受信希望情報抽出部４０７は、選択したレコード４０６０を参照し、このレコード４０６０により特定される無線ＬＡＮボタン電話機３の受信希望情報が含まれているか否かを判定する（Ｓ１３０２Ａ）。受信希望情報が含まれている場合は（Ｓ１３０２ＡでＹＥＳ）、受信希望情報をユニキャストパケットから抽出する。
【００７６】
次に、受信希望情報パケット生成部４０８は、抽出された受信希望情報を格納したユニキャストパケットを生成し、生成したユニキャストパケットを、この無線ＬＡＮボタン電話機３宛ての受信希望情報パケットとして、受信希望情報パケット記憶部４０９に記憶する（Ｓ１３０４）。その後、Ｓ１３０５に進む。
【００７７】
Ｓ１３０５において、ビーコン送信部４０３は、次のビーコン送信タイミングにおいて、受信希望情報パケット記憶部４０９に受信希望情報パケットが登録されている無線ＬＡＮボタン電話機３のボタン電話機ＩＤを含めたビーコン信号を送信し、このフローを終了する。Ｓ１３０２Ａにおいて、受信希望情報が含まれていない場合は（Ｓ１３０２ＡでＮＯ）、このフローを終了する。なお、Ｓ１３０２Ａにおいて、受信希望情報が含まれているか否かの判定は、その情報が更新されたか否かとしてもよい。
【００７８】
図１２は、図９のＳ１６（ポーリング処理）を説明するためのフロー図である。
【００７９】
無線ＬＡＮパケット送受信部４０２は、ポーリング要求パケットの送信元を宛先とするユニキャストパケットを受信希望情報パケット記憶部４０９から抽出する（Ｓ１６０１）。次に、無線ＬＡＮパケット送受信部４０２は、抽出したユニキャストパケットを無線送信する（Ｓ１６０２）。それから、無線ＬＡＮパケット送受信部４０２は、抽出したユニキャストパケットを受信希望情報パケット記憶部４０９から削除して（Ｓ１６０３）、このフローを終了する。
【００８０】
図１３は、図９のＳ１７（最新情報通知処理）を説明するためのフロー図である。
【００８１】
最新情報パケット生成部４１２は、最新情報記憶部４１０から、最新情報取得要求パケットの送信元に対応付けられて記憶されている最新情報（図８参照）を読み出す（Ｓ１７０１）。次に、最新情報パケット生成部４１２は、読み出した最新情報を格納した、最新情報取得要求パケットの送信元を宛先とするユニキャストパケットを生成する（Ｓ１７０２）。そして、生成したユニキャストパケットを無線ＬＡＮパケット送受信部４０２に渡す。これを受けて、無線ＬＡＮパケット送受信部４０２は、最新情報パケット生成部４１２により生成されたユニキャストパケットを、最新情報パケットとして無線送信する（Ｓ１７０３）。
【００８２】
また、無線ＬＡＮパケット解析部４１１は、最新情報取得要求パケットの送信元の識別情報（ボタン電話機ＩＤ）がフィールド４０６１に登録されているレコード４０６０を受信希望種別記憶部４０６から削除し（Ｓ１７０４）、このフローを終了する。
【００８３】
図１４は、図９のＳ１８（受信希望登録処理）を説明するためのフロー図である。
【００８４】
無線ＬＡＮパケット解析部４１１は、受信希望種別記憶部４０６に新たなレコード４０６０を追加し（Ｓ１８０１）、このレコード４０６０のフィールド４０６１に受信希望情報通知パケットの送信元の識別情報（ボタン電話機ＩＤ）を登録する（Ｓ１８０２）。次に、無線ＬＡＮパケット解析部４１１は、受信希望情報通知パケットの登録内容に基づいて、ボタン電話情報以外の情報を受信希望情報とするか否かを、追加レコード４０６０のフィールド４０６３に登録する。また、受信希望情報通知パケットの登録内容に基づいて、ボタン電話情報の種別毎に、該当する種別のボタン電話情報を受信希望情報とするか否かを、追加レコード４０６０の対応するサブフィールド４０６２１に登録する（Ｓ１８０３）。その後、このフローを終了する。
【００８５】
次に、無線ＬＡＮボタン電話機３を説明する。
【００８６】
図１５は、無線ＬＡＮボタン電話機３の概略機能ブロック図である。
【００８７】
図示するように、無線ＬＡＮボタン電話機３は、無線ＬＡＮパケット送受信部３０１と、ビーコン受信部３０２と、ＭＭ（MAN MACHINE）インターフェース部３０３と、最新情報取得要求パケット生成部３０４と、受信希望情報通知パケット生成部３０５と、受信希望情報設定部３０６と、動作モード制御部３０７と、動作モード設定部３０８と、通信プロトコル処理部３０９と、を有する。
【００８８】
無線ＬＡＮパケット送受信部３０１は、無線ＬＡＮ６のインターフェース制御機能を有し、無線ＬＡＮ６を介して、無線ＬＡＮアクセスポイント４とパケットを送受信する。
【００８９】
ビーコン受信部３０２は、無線ＬＡＮアクセスポイント４が定期的に送信するビーコン信号を受信する。
【００９０】
ＭＭインターフェース部３０３は、ユーザに情報を提示したり、ユーザから情報を受け付けたりするためのインターフェースであり、スピーカ、マイク等の音声入出力部、ＬＣＤ表示、ＬＥＤ表示等の表示部、および入力キー等の操作部を有する。
【００９１】
最新情報取得要求パケット生成部３０４は、無線ＬＡＮアクセスポイント４に保持されている最新のボタン電話情報を入手するための最新情報取得要求パケットを生成する。
【００９２】
受信希望情報通知パケット生成部３０５は、希望情報受信モード中に無線ＬＡＮアクセスポイント４から受信を希望する情報である、受信希望情報の種別を通知するための、受信希望情報通知パケットを生成する。
【００９３】
受信希望情報設定部３０６は、受信希望情報通知パケット生成部３０５に受信希望情報の種別を設定する。
【００９４】
動作モード制御部３０７は、無線ＬＡＮボタン電話機３の動作モードを制御する。上述したように、無線ＬＡＮボタン電話機３の動作モードには、通常モードと、省電力モードとがある。そして、省電力モードには、マルチキャスト受信モードと、希望情報受信モードとがある。
【００９５】
動作モード設定部３０８は、動作モード制御部３０７に動作モードを設定する。
【００９６】
通信プロトコル処理部３０９は、無線ＬＡＮボタン電話機３の通信プロトコル（ＳＩＰ（Session Initiation Protocol）等の呼制御プロトコル、およびＲＴＰ（Real Time Transfer Protocol）等のデータ伝送プロトコル）を処理する。これにより、無線ＬＡＮボタン電話機３の通信制御、および通話データの符号化・復号化を行う。
【００９７】
図１６は、無線ＬＡＮボタン電話機３の動作フローを説明するための図である。
【００９８】
動作モード設定部３０８は、ＭＭインターフェース部３０３を介して、ユーザから動作モードの変更指示を受け付けると（Ｓ３０でＹＥＳ）、動作モードの変更内容を確認する（Ｓ３１）。動作モードが省電力モードから通常モードに変更される場合は、後述する通常モード変更処理を行う（Ｓ３２）。通常モードから省電力モードに変更される場合は、後述する省電力モード変更処理を行う（Ｓ３３）。
【００９９】
図１７は、図１６に示す通常モード変更処理（Ｓ３２）を説明するためのフロー図である。
【０１００】
動作モード設定部３０８は、動作モード制御部３０７に、通常モードによる動作を指示する。これを受けて、動作モード制御部３０７は、通常モードによる動作を開始する（Ｓ３２０１）。
【０１０１】
通常モードにおいて、無線ＬＡＮパケット送受信部３０１は、常にアウェイク状態となって、無線ＬＡＮアクセスポイント４から無線送信されたマルチキャストパケットおよび自電話機宛てのユニキャストパケットを受信する。
【０１０２】
具体的には、ビーコン受信部３０２で受信したビーコン信号がマルチキャストパケット送信用のビーコン信号である場合、無線ＬＡＮパケット送受信部３０１は、無線ＬＡＮアクセスポイント４からマルチキャストパケットが送られてくるのを待つ。但し、無線ＬＡＮアクセスポイント４に帰属する全ての無線端末が通常モードの場合は、ビーコン信号と無関係に受信する。そして、受信したマルチキャストパケットから、自無線ＬＡＮボタン電話機３および自無線ＬＡＮボタン電話機３が属するグループに対するボタン電話機情報を抽出し、通信プロトコル処理部３０９を介して、ＭＭインターフェース部３０３に出力する。また、受信したユニキャストパケットから、自無線ＬＡＮボタン電話機３および自無線ＬＡＮボタン電話機３が属するグループに対するボタン電話機情報を抽出し、通信プロトコル処理部３０９を介して、ＭＭインターフェース部３０３に出力する。
【０１０３】
次に、動作モード制御部３０７は、直前に採用されていた省電力モードが希望情報受信モードであるか否かを判断する（Ｓ３２０２）。直前に採用されていた省電力モードが希望情報受信モードである場合（Ｓ３２０２でＹＥＳ）、Ｓ３２０３に進む。一方、直前に採用されていた省電力モードが希望情報受信モードでない場合（Ｓ３２０２でＮＯ）、つまりマルチキャスト受信モードである場合は、このフローを終了する。
【０１０４】
Ｓ３２０３において、動作モード制御部３０７は、最新情報の取得を最新情報取得要求パケット生成部３０４に指示する。これを受けて、最新情報取得要求パケット生成部３０４は、最新情報取得要求パケットを生成し、このパケットを無線ＬＡＮパケット送受信部３０１から無線送信する。
【０１０５】
その後、無線ＬＡＮパケット送受信部３０１は、自無線ＬＡＮボタン電話機３に対する最新のボタン電話情報が格納されたユニキャストパケット（最新情報パケット）が送られてくるのを待つ（Ｓ３２０４でＹＥＳ）。そして、受信したユニキャストパケットから、自無線ＬＡＮボタン電話機３に対する最新のボタン電話機情報（ＬＥＤ表示情報、ＬＣＤ表示情報等）を抽出し、通信プロトコル処理部３０９を介して、ＭＭインターフェース部３０３に出力する（Ｓ３２０６）。ただし、所定時間内に無線ＬＡＮアクセスポイント４から最新情報パケットが送られてこなかった場合は（Ｓ３２０５でＹＥＳ）、このフローを終了する。
【０１０６】
図１８は、図１６に示す省電力モード変更処理（Ｓ３３）を説明するためのフロー図である。
【０１０７】
先ず、動作モード設定部３０８は、受け付けた省電力モードの内容をさらに確認する（Ｓ３３０１）。省電力モードがマルチキャスト受信モードの場合は、Ｓ３３０２に進み、希望情報受信モードの場合はＳ３３０３に進む。
【０１０８】
Ｓ３３０２において、動作モード設定部３０８は、動作モード制御部３０７にマルチキャスト受信モードによる動作を指示する。これを受けて、動作モード制御部３０７は、マルチキャスト受信モードによる動作を開始する。
【０１０９】
マルチキャスト受信モードにおいて、ビーコン受信部３０２は、無線ＬＡＮアクセスポイント４から定期的に送信されるビーコン信号の送信タイミングで、スリープ状態からアウェイク状態に移行し、ビーコン信号を受信する。そして、受信したビーコン信号がマルチキャストパケット送信通知用のビーコン信号である場合、無線ＬＡＮパケット送受信部３０１は、無線ＬＡＮアクセスポイント４からマルチキャストパケットが送られてくるのを待つ。そして、受信したマルチキャストパケットから、自無線ＬＡＮボタン電話機３および自無線ＬＡＮボタン電話機３が属するグループに対するボタン電話機情報を抽出し、通信プロトコル処理部３０９を介して、ＭＭインターフェース部３０３に出力する。その後、アウェイク状態からスリープ状態に移行する。
【０１１０】
また、受信したビーコン信号が自無線ＬＡＮボタン電話機３宛てのユニキャストパケット通知用のビーコン信号である場合、無線ＬＡＮパケット送受信部３０１は、無線ＬＡＮアクセスポイント４にポーリング要求パケットを送信し、無線ＬＡＮパケットからユニキャストパケットが送られてくるのを待つ。そして、受信したユニキャストパケットから、自無線ＬＡＮボタン電話機３および自無線ＬＡＮボタン電話機３が属するグループに対するボタン電話機情報を抽出し、通信プロトコル処理部３０９を介して、ＭＭインターフェース部３０３に出力する。その後、アウェイク状態からスリープ状態に移行する。
【０１１１】
また、受信したビーコン信号がマルチキャストパケット送信通知用のビーコン信号でなく、かつ自無線ＬＡＮボタン電話機３宛てのユニキャストパケット通知用のビーコン信号でもない場合、直ちにアウェイク状態からスリープ状態に移行する。
【０１１２】
一方、Ｓ３３０３において、動作モード設定部３０８は、動作モード制御部３０７に希望情報受信モードによる動作を指示する。これを受けて、動作モード制御部３０７は、受信希望情報の通知を受信希望情報通知パケット生成部３０５に指示する。これを受けて、受信希望情報通知パケット生成部３０５は、受信希望情報設定部３０６により設定された受信希望情報の種別を格納した受信希望情報通知パケットを生成し、このパケットを無線ＬＡＮパケット送受信部３０１から無線送信する。なお、受信希望情報設定部３０６は、ＭＭインターフェース部３０３を介して、ユーザから受信希望情報の種別を受け付けているものとする。
【０１１３】
次に、動作モード制御部３０７は、希望情報受信モードによる動作を開始する（Ｓ３３０４）。
【０１１４】
希望情報受信モードにおいて、ビーコン受信部３０２は、無線ＬＡＮアクセスポイント４から定期的に送信されるビーコン信号の送信タイミングで、スリープ状態からアウェイク状態に移行し、ビーコン信号を受信する。そして、受信したビーコン信号が自無線ＬＡＮボタン電話機３宛てのユニキャストパケット通知用のビーコン信号である場合、無線ＬＡＮパケット送受信部３０１は、無線ＬＡＮアクセスポイント４にポーリング要求パケットを送信し、無線ＬＡＮパケットからユニキャストパケット（受信希望情報パケット）が送られてくるのを待つ。そして、受信したユニキャストパケットから、自無線ＬＡＮボタン電話機３および自無線ＬＡＮボタン電話機３が属するグループに対するボタン電話機情報を抽出し、通信プロトコル処理部３０９を介して、ＭＭインターフェース部３０３に出力する。その後、アウェイク状態からスリープ状態に移行する。一方、受信したビーコン信号が自無線ＬＡＮボタン電話機３宛てのユニキャストパケット通知用のビーコン信号でない場合は、直ちにアウェイク状態からスリープ状態に移行する。
【０１１５】
以上、本発明の一実施の形態を説明した。
【０１１６】
本実施の形態では、無線ＬＡＮアクセスポイント４が、希望情報受信モードで動作中の配下の無線ＬＡＮボタン電話機３毎に、主装置１より受信したパケットから、当該無線ＬＡＮボタン電話機３の受信希望情報以外の情報を省略した、当該無線ＬＡＮボタン電話機３宛のユニキャストパケットを生成する。そして、ビーコン信号を用いて、生成したユニキャストパケットの宛先を通知する。
【０１１７】
一方、無線ＬＡＮボタン電話機３は、定期的にスリープ状態からアウェイク状態に移行して、無線ＬＡＮアクセスポイント４のビーコン信号を受信する。そして、受信したビーコン信号によって、自無線ＬＡＮボタン電話機３がユニキャストパケットの宛先として通知されている場合は、アウェイク状態を維持し、無線ＬＡＮアクセスポイント４に対してポーリング処理を行って、自無線ボタン電話機３宛のユニキャストパケットを受信する。一方、自無線ＬＡＮボタン電話機３がユニキャストパケットの宛先として通知されていない場合は、速やかにアウェイク状態からスリープ状態へ移行する。
【０１１８】
したがって、本実施の形態によれば、無線ＬＡＮボタン電話機３のアウェイク状態の無駄な持続を低減することができ、これにより、無線ＬＡＮボタン電話機３のバッテリ消耗を低減できる。
【０１１９】
また、本実施の形態において、無線ＬＡＮアクセスポイント４は、受信希望情報通知パケットに含まれている受信希望情報の種別を、パケット送信元の無線ＬＡＮボタン電話機３に対応付けて記憶する。そして、無線ＬＡＮボタン電話機３は、希望情報受信モードによる動作の開始に先立って、自無線ＬＡＮボタン電話機３の受信希望情報通知パケットを無線ＬＡＮアクセスポイント４に送信する。このようにすることにより、無線ＬＡＮボタン電話機３各々の受信希望情報の種別を、予め無線ＬＡＮアクセスポイント４に登録しておく必要がなくなる。
【０１２０】
また、本実施の形態において、無線ＬＡＮアクセスポイント４は、主装置１より受信した最新のパケットに格納されている情報を記憶する。そして、無線ＬＡＮボタン電話機３から最新情報取得要求パケットを受信した場合に、主装置１より受信した最新の情報を含む当該無線ＬＡＮボタン電話機３宛の最新情報パケットをユニキャストパケットで生成し無線送信する。また、無線ＬＡＮボタン電話機３は、希望情報受信モードから通常モードに移行した場合に、自無線ＬＡＮボタン電話機３の最新情報取得要求パケットを送信して、無線ＬＡＮアクセスポイント３から自無線ＬＡＮボタン電話機３宛の最新情報パケットを受信する。このようにすることにより、無線ＬＡＮボタン電話機３は、希望情報受信モードから通常モードに復帰した際に、最新のボタン電話情報（ＬＥＤ表示情報、ＬＣＤ表示情報等）を取得し出力することができる。
【０１２１】
なお、本発明は上記の実施の形態に限定されるものではなく、その要旨の範囲内で数々の変形が可能である。例えば、無線ＬＡＮアクセスポイント４、無線ＬＡＮボタン電話機３の各構成は、ＡＳＩＣ（Application Specific Integrated Circuit）、ＦＰＧＡ（Field Programmable Gate Array）などの集積ロジックＩＣによりハード的に実行されるものでもよいし、あるいはＤＳＰなど計算機によりソフトウエア的に実行されるものでもよい。
【０１２２】
また、上記の実施の形態では、無線ＬＡＮボタン電話機３が通常モードから希望情報受信モードに移行する際に、受信希望情報通知パケットを無線ＬＡＮアクセスポイント４に通知するようにしている。しかし、本発明はこれに限定されない。任意のタイミング（例えばユーザからの指示受付タイミング）で受信希望情報通知パケットを無線ＬＡＮボタン電話機３から無線ＬＡＮアクセスポイント４に通知するようにしてもよい。この場合、無線ＬＡＮボタン電話機３が動作モードの変更を無線ＬＡＮアクセスポイント４に通知することにより、無線ＬＡＮアクセスポイント４に、無線ＬＡＮボタン電話機３の動作モードが通常モードから希望情報受信モードに変更されたことを管理させることができる。
【０１２３】
また、上記の実施の形態では、無線ＬＡＮボタン電話機３が希望情報受信モードから通常モードに移行する際に、最新情報取得要求パケットを無線ＬＡＮアクセスポイント４に通知するようにしている。しかし、本発明はこれに限定されない。任意のタイミング（例えばユーザからの指示受付タイミング）で最新情報取得要求パケットを無線ＬＡＮボタン電話機３から無線ＬＡＮアクセスポイント４に通知するようにしてもよい。この場合、無線ＬＡＮボタン電話機３が動作モードの変更を無線ＬＡＮアクセスポイント４に通知することにより、無線ＬＡＮアクセスポイント４に、無線ＬＡＮボタン電話機３の動作モードが希望情報受信モードから通常モードに変更されたことを管理させることができる。
【０１２４】
また、上記の実施の形態では、無線ＬＡＮアクセスポイントから無線端末に送信する際、マルチキャストパケットとユニキャストパケットで説明を行っている。しかし、本発明はこれに限定されない。例えばブロードキャストでもよい。
【図面の簡単な説明】
【０１２５】
【図１】図１は、本発明の一実施の形態が適用されたＩＰボタン電話システムの概略構成図である。
【図２】図２は、主装置１、無線ＬＡＮアクセスポイント４、および省電力モード中の無線ＬＡＮボタン電話機３間のパケット送受タイミングを模式的に表した図である。
【図３】図３は、主装置１、無線ＬＡＮアクセスポイント４、および省電力モードから通常モードに復帰した無線ＬＡＮボタン電話機３間のパケット送受タイミングを模式的に表した図である。
【図４】図４は、無線ＬＡＮアクセスポイント４の概略機能ブロック図である。
【図５】図５は、受信希望種別記憶部４０６の登録内容を模式的に表した図である。
【図６】図６は、ボタン電話情報をマルチキャストパケットで受信した場合における受信希望情報抽出部４０７の動作を模式的に表した図である。
【図７】図７は、ボタン電話情報をユニキャストパケットで受信した場合における受信希望情報抽出部４０７の動作を模式的に表した図である。
【図８】図８は、最新情報記憶部４１０の登録内容を模式的に表した図である。
【図９】図９は、無線ＬＡＮアクセスポイント４の動作フローを説明するための図である。
【図１０】図１０は、図９のＳ１２（マルチキャストパケット受信処理）を説明するためのフロー図である。
【図１１】図１１は、図９のＳ１３（ユニキャストパケット受信処理）を説明するためのフロー図である。
【図１２】図１２は、図９のＳ１６（ポーリング処理）を説明するためのフロー図である。
【図１３】図１３は、図９のＳ１７（最新情報通知処理）を説明するためのフロー図である。
【図１４】図１４は、図９のＳ１８（受信希望登録処理）を説明するためのフロー図である。
【図１５】図１５は、無線ＬＡＮボタン電話機３の概略機能ブロック図である。
【図１６】図１６は、無線ＬＡＮボタン電話機３の動作フローを説明するための図である。
【図１７】図１７は、図１６に示す通常モード変更処理（Ｓ３２）を説明するためのフロー図である。
【図１８】図１８は、図１６に示す省電力モード変更処理（Ｓ３３）を説明するためのフロー図である。
【符号の説明】
【０１２６】
１：主装置、２：有線ＬＡＮボタン電話機、３：無線ＬＡＮボタン電話機、４：無線ＬＡＮアクセスポイント、５：有線ＬＡＮ、６：無線ＬＡＮ、３０１：無線ＬＡＮパケット送受信部、３０２：ビーコン受信部、３０３：ＭＭインターフェース部、３０４：最新情報取得要求パケット生成部、３０５：受信希望情報通知パケット生成部、３０６：受信希望情報設定部、３０７：動作モード制御部、３０８：動作モード設定部、３０９：通信プロトコル部、４０１：有線ＬＡＮパケット送受信部、４０２：無線ＬＡＮパケット送受信部、４０３：ビーコン送信部、４０４：ブリッジ部、４０５：有線ＬＡＮパケット解析部、４０６：受信希望種別記憶部、４０７：受信希望情報抽出部、４０８：受信希望情報パケット生成部、４０９：受信希望情報パケット記憶部、４１０：最新情報記憶部、４１１：無線ＬＡＮパケット解析部、４１２：最新情報パケット生成部
【図１】
2008118433.tif 000003
【図２】
2008118433.tif 000004
【図３】
2008118433.tif 000005
【図４】
2008118433.tif 000006
【図５】
2008118433.tif 000007
【図６】
2008118433.tif 000008
【図７】
2008118433.tif 000009
【図８】
2008118433.tif 000010
【図９】
2008118433.tif 000011
【図１０】
2008118433.tif 000012
【図１１】
2008118433.tif 000013
【図１２】
2008118433.tif 000014
【図１３】
2008118433.tif 000015
【図１４】
2008118433.tif 000016
【図１５】
2008118433.tif 000017
【図１６】
2008118433.tif 000018
【図１７】
2008118433.tif 000019
【図１８】
2008118433.tif 000020